(57)【要約】      （修正有）【課題】作動済みの消化器を容易に更新できるとともに、確実に消化器の開栓ができる自動消火器を提供する。【解決手段】火災検知器と消火器開栓装置を一体的に備え、消火器開栓装置３の枠体４に消火器２を着脱自在とした。消火器開栓装置は枠体に固定した竪ガイド５に上下動自在に嵌合するスリーブ６とスリーブで縮設したばね７とスリーブの下降を阻止する可動子８ａを備えたソレノイド８を有し、火災検知器の信号に基いて可動子８ａがソレノイド中へ引込むとばね７のばね力でスリーブ６が降下し消火器のボタン２ｃを押す。【選択図】図４
0003190109.tif 000002
【実用新案登録請求の範囲】
【請求項１】
室内の天井壁等に設けられ室温が所定温度に上昇する又は煙を感知すると火災検知器と一体的に設けられた消化剤を自動的に放射する構成の自動消火器において、
室温が所定温度に上昇する又は煙を感知すると信号を発生する火災検知器と、
火災検知器の信号を受けて消火器の開弁部材を押す消火器開栓装置と、
消火器開栓装置の下方に着脱され消化剤を収納したボデイとボデイ中の消化剤を弁を介して噴出させるノズルを開弁する開弁部材を有する消火器と、
前記消火器開栓装置を備えた枠体であって消火器を着脱される枠体と、
を有し、消火器が枠体に着脱自在であることを特徴とする自動消火器。
【請求項２】
消火器開栓装置は縮設したばねと、ばねの縮設状態を保ち消火器の開弁部材に作用する作動部材と、火災検知器の信号により作動しばねを縮設した位置の作動部材を解除可能に支持するソレノイドと、
を有することを特徴とする請求項１に記載の自動消火器。
【考案の詳細な説明】
【技術分野】
【０００１】
この考案は煙又は熱を検知して消火器を動作させる自動消火器に関する。
【背景技術】
【０００２】
室内に向けて噴水する消火ノズルに給水配管を結合して、給水管に介装したポンプを火災検知器で検知した煙又は熱により作動させて、加圧給水するスプリンクラーは一定規模以上又は特定の種類の建物には設置が義務付けられている。
【０００３】
スプリンクラーは設置費用が高く中小規模の建物には設けられないのが普通になっている。また、既存の建物にスプリンクラーを後付で設けるのは難しい。そこでスプリンクラーがないが火災報知器を備える建物は多数存在する。近時は家庭用火災報知器の普及を見るようになっている。
【０００４】
しかし、火災報知器は火災を止めることができない。そこで室内の天井等に設けられ、火災の発生により室温が所定温度に上昇した際又は火災の発生により生じた煙又は熱を感知した際に、これら火災報知器と一体的に設けた消化剤を自動的に放射する自動消火器が提案されている。
【先行技術文献】
【特許文献】
【０００５】
特許文献1    実開昭５６−１４６９５９号公報
特許文献２    実開昭６１−１３６７５９号公報
特許文献３    実開平７−３９０号公報
特許文献４    特開２００４−４９２５３号公報
特許文献５    特開２００９−１１９１６５公報
【非特許文献】
【０００６】
なし
【考案の概要】
【考案が解決しようとする課題】
【０００７】
特許文献１（実開昭５６−１４６９５９号公報）に係る考案は本体に消化剤を内蔵しているので一度作動すると消化剤の供給が困難である。特許文献２（実開昭６１−１３６７５９号公報）に係る自動消火器では一度作動すると粉末消化剤の詰め替えを行う必要がある。そのためには自動消火器全体を取り外さねばならない。特許文献３（実開平７−３９０号公報）に係る発明では消化剤の詰め替えが容易でない。特許文献４（特開２００４−４９２５３号公報）に係る発明では天井設置の消火器収納容器の下側にサークラインを設けている。一度、消火器が作動すると消火器収納容器を天井から取り外した上消化剤の充填を行わねばならない。特許文献５（特開２００９−１１９１６５公報）はタンクが本体内部に設けてあるので、一度消火作動するとタンクへの給水が容易でない。
【０００８】
この考案は煙を感知又は所定温度を検知して信号を発生する信号発生部材と、信号発生部材の信号を受けて消化剤を散布する消火器を一体的に設けた自動消火器において、消火器の取り替えを容易とした自動消火器を提供することを目的とする。
【課題を解決するための手段】
【０００９】
本出願に係るの第１の考案は室内の天井壁等に設けられ室温が所定温度に上昇する又は煙を感知すると火災検知器と一体的に設けられた消化剤を自動的に放射する構成の自動消火器において、
室温が所定温度に上昇する又は煙を感知すると信号を発生する火災検知器と、
火災検知器の信号を受けて消火器の開弁部材を押す消火器開栓装置と、
消火器開栓装置の下方に着脱され消化剤を収納したボデイとボデイ中の消化剤を弁を介して噴出させるノズルを開弁する開弁部材を有する消火器と、
前記消火器開栓装置を備えた枠体であって消火器を着脱される枠体と、
を有し、消火器が枠体に着脱自在であることを特徴とする自動消火器である。
【００１０】
本出願に係るの第２の考案は消火器開栓装置は縮設したばねと、ばねの縮設状態を保ち消火器の開弁部材に作用する作動部材と、火災検知器の信号により作動しばねを縮設した位置の作動部材を解除可能に支持するソレノイドと、
を有することを特徴とする第１の考案に記載の自動消火器である。
【考案の効果】
【００１１】
本出願に係る第１の考案によれば作動済みの消火器を容易に更新できる。
本出願に係る第２の考案によればばね力で確実に消火器の開栓ができる。
【図面の簡単な説明】
【００１２】
【図１】この考案の実施例の一部断面で示す正面図である。
【図２】図１の底面図である。
【図３】火災検知器の内部を模式的に示す平面図である。
【図４】消火器開栓装置の正面図である。
【図５】図４の平面図である。
【図６】他の実施例を示し枠体の一部断面で示す平面図である。
【図７】図６の一部断面で示す正面図である。
【実施例】
【００１３】
以下、図面を用いてこの考案の実施例の説明をする。図１は正面図である。この考案の自動消火器は、火災検知器１と消火器２と、火災検知器１の火災であることの信号を受けて作動して消火器２の開栓を行う消火器開栓装置３と、火災検知器１と消火器開栓装置３を一体的に結合すると共に消火器２を容易に着脱可能な枠体４を備えている。
[火災検知器]
【００１４】
図１、図３に示すように火災検知器１は上端板１ｋ、下端板１ｍ、円筒形の内外壁１ａ，１ｂで囲まれて中空である。内外壁１ａ，１ｂの開口１ａ１，１ｂ１をくい違わせて内部の空間に外光は入らないが煙は自在に侵入するようになっている。内壁１ｂ内には発光素子１ｃと、発光素子１ｃと間をおいて発光素子１ｃの光を受けるように受光素子１ｄが配設されている。制御装置１ｅは発光素子１ｃに給電して発光素子１ｃの光が受光素子１ｄが受光していることを常時検出している。火災の煙が開口１ａ１，１ｂ１を通じて火災検知器１内に侵入すると制御装置１ｅにより付勢されている発光素子１ｃの発する光は受光素子１ｄに充分届かなくなる。受光素子１ｄの受光量が一定以下になったことを制御装置１ｅが判別するとドライバ１ｆを介してスピーカ１ｇが大音響を発生して火災発生を報知する。１ｈはドライバ１ｆの例えばボタン電池のような電源であるが、電源１ｈは常時は発光電子１ｃと受光素子１ｄが受光しているかどうかを判別する制御装置１ｅにのみ通電している。ドライバ１ｆは消火器開栓装置３に連結される配線が結合される出力端子１ｉを有する。尚、図示されないがリセット手段を備えていて煙のない状態でリセットができるようになっている。
【００１５】
このような火災検知器１は火災検知器として周知である。この考案は火災検知できればよいので熱検知式の火災報知器を採用できる。また、人が立ち入らないような場所では音声又は光で火災を報知する必要がないので上記スピーカ１ｇのような報知部材はなくてもよい。
[消火器]
【００１６】
本実施例の消火器２は図１に示すようにカセットボンベ式で円筒形のボデイ２ａ内部に消化剤例えば消化作用のある液体、例えば水と、この水を押し出し可能な不活性ガスが加圧充填されている。ボデイ２ａの端部を閉塞している頭部２ｂの中心にはボデイ２ａに向って押圧して押込むことにより開弁する開弁部材としてボタン２ｃを有する。ボタン２ｃは弁口に通ずるノズル２ｄが設けられている。ノズル２ｄの消化剤噴射方向は図１の紙面に直交する方向である。弁口はノズル２ｄとボデイ２ａ内部を通ずる流路に有り、本例ではボタン２ｃが弁口を開閉する弁体を兼ねている。ボデイ２ａの底板は回り縁２ａ１で円筒部端面と結合されている。底板はボデイ２ａ内部に向って凸である。
消火器としては、加圧式で粉末の消化剤を充填した通常床に置かれる消火器を採用可能である。
[消火器開栓装置]
【００１７】
図４、図５に示すように消火器開栓装置３は枠体４の天板４ａに固定された竪ガイド５、竪ガイド５に上下動自在に嵌合しているスリーブ６と、スリーブ６に挿入されている圧縮コイルばね７と、枠体４に固定されているソレノイド８と、枠体４に固定された電池ホルダ９と、電池ホルダ９の正極接点９ａ、負極接点９ｂ夫々とソレノイド８間を結合する正極配線１１、負極配線１２と、正極配線１１に介装されたリレー１３と、リセットレバー１４を有する。
【００１８】
竪ガイド５は天板４ａに固定されるフランジ５ａと一体に設けた断面円形の上下方向に長いガイド軸５ｂとを有する。スリーブ６は消火器２のボタン２ｃを押す作動部材となっている。スリーブ６の円形の中心穴６ａがガイド軸５ｂに上下動自在に嵌合している。スリーブ６の外周には上から円筒形のばね挿入部６ｂ、ばね挿入部６ｂから拡径したつば６ｃ、つば６ｃから縮径した作動子６ｄを備える。作動子６ｄの底板６ｄ１は消火器２のボタン２ｃを押す位置にある。底板６ｄ１の中心には空気抜穴６ｄ２が設けてある。
【００１９】
圧縮コイルばね７はスリーブ６のばね挿入部６ｂに挿入され、フランジ５ａ、つば６ｃをばね座として縮設されている。圧縮コイルばね７を縮んだ状態ではスリーブ６のつば６ｃにソレノイド８の可動子８ａの先端が係合して支持されている。ソレノイド８は圧縮コイルばね７を縮設しているスリーブ６を解除可能に支持している。
【００２０】
電池ホルダ９は電池１５の胴部の丸い部分の直径をわたる対向部を押してばね力で支持する支持部９ｆがL形のベース板９ｇの上部から枠体４の開口４ｊへ向って突出している。支持部９ｆ先端９ｆ１は上側へ開くようにベース板９ｇの水平な板部との対向間隔を図４において右方の開口４ｊに向って次第に大きくなるようにしてある。図４に示すようにＬ形のベース板９ｇは枠体４と一体的な内筒４ｄの端板４ｆに固定されている。図５に示すようにベース板９ｇとは絶縁してベース板９ｇの端部に正極接点９ａが立設してある。ベース板９ｇを折曲して負極接点９ｂが立設されている。負極配線１２は枠体４が導電性材枠、例えば板金製の場合はグランドとして設けても良い。リレー１３のコイル１３ａは図示されない配線で火災検知器１のドライバ１ｆの出力端子１ｉに結ばれている。
【００２１】
図５に示すようにリセットレバー１４はスリーブ６に向って長く設けてある。図４ではリセットレバー１４を図示を分かり易くするために側面から見た図として表示してある。
【００２２】
リセットレバー１４は先端にスリーブ６のつば６ｃに作用してスリーブ６を上昇させる駒１４ａを先端に有し、中間部がピン１４ｂで枠体４に回転自在に支持されている。駒１４ａにはピン１４ｂを間にして外方へのびる柄部１４ｃが設けてある。柄部１４ｃの先端には握り１４ｄが設けてある。図５に示すようにピン１４ｂは枠体４の胴部４ｂの内側に設けたブラケット４ｃ，４ｃに嵌入している。握り１４ｄを押し下げるとピン１４ｂを中心にしてリセットレバー１４は図４において反時計回りに回転し、駒１４ａは上昇する。従って、圧縮コイルばね７がのびてスリーブ６が下降している際には駒１４ａは圧縮コイルばね７のばね力に抗してつば６ｃを押してスリーブ６を上昇させる。
上記において圧縮コイルばね７は他の金属ばね例えば板ばねとすることができる。また、圧縮コイルばね７は空気ばねとしてもよい。
[枠体]
【００２３】
図１に示すように枠体４には火災検知器１が固定されている。枠体４には消火器開栓装置３が設けられている。枠体４には消火器２を着脱自在な消火器取付部４Ａを備えている。ここで、着脱自在とは、容易に枠体４に取付け、容易に取外し可能なことをいうだけでなく自動消火器のどの位置に消火器取付部４Ａがあるかをいう。本例では消火器２は消火器開栓装置３の下にある。
【００２４】
図１、図２の例では消火器２は円筒形であって各部が円形の外周を有している。ボデイ２ａと頭部２ｂの境の部分において頭部２ｂにはキャップ嵌合部２ｂ１が設けてある。キャップ嵌合部２ｂ１は枠体４の内筒４ｄに丁度嵌合するようになっている。枠体の胴部４ｂと内筒４ｄは一体に作られている。
【００２５】
胴部４ｂの外周を３等配した位置において胴部４ｂの母線の方向に板ばね４ｅが設けてある。板ばね４ｅは根本が胴部４ｂに固定されるか一体成形されている。板ばね４ｅは胴部４ｂの半径方向外方に下方突出部４ｅ１が変位してたわみ得るように胴部４ｂの周方向に関して平たい駆形断面である。
【００２６】
逆爪となっている下方突出部４ｅ１は消火器２を枠体４に取り付ける際にボデイ２ａの上縁を上方に移動すると上縁が摺動して板ばね４ｅの弾性に抗して板ばね４ｅをボデイ２ａからみて半径方向外方に変形させる直動カム部４ｅ２が斜設されている。消火器２の嵌合部２ｂ１が枠体４の内筒４ｄに嵌合した位置では消火器２の底面は係止面４ｅ３のすぐ上に来て、板ばね４ｅのばね力で下方突出部４ｅ１はボデイ２ａの中心に向って移動し平たい係止面４ｅ３が回り縁２ａ１の下面に接する。
枠体４は消火器２のノズル２ｄから噴出する消化剤の流れを妨げないように胴部４ｂ、内筒４ｄには開口がある（図１に表われないが、図１の正面となる）。
【００２７】
枠体４の胴部４ｂには壁等へ取り付けるための取付部４ｇが垂下している。取付部４ｇは壁に取付けることのできる取付フランジ４ｇ１を有する。自動消火器を天井へ取り付ける場合は天井にブラケットを固定し、ブラケットに取付フランジ４ｇ１を固定する。
【００２８】
上記において枠体４の各部は合成樹脂製である。板ばね４ｅは合成樹脂で枠体４と一体的に製作するほか、ばね鋼製として胴部４ｂに固定又は埋め込み成形してもよい。
【００２９】
竪ガイド５は鋼材で外周に渡金されるか、ステンレス鋼が用いられる。スリーブ６は合成樹脂製、圧縮コイルばねはばね鋼製、電池ホルダ９は板金又は合成樹脂製、リセットレバー１４は鉄製である。上記合成樹脂としてはポリプロピレン、ＡＢＳ樹脂、ポリエチレンテレフタレート、ポリ塩化ビニール等が用いられる。
[消火器の着脱]
【００３０】
自動消火器へ消火器２を装着するには、自動消火器の下方から消火器２を上方に向って持上げる。消火器２のボデイ２ａの上縁が板ばね４ｅの先端の直動カム部４ｅ２に当ると板ばね４ｅは外方へ押し広げられ、ボデイ２ａは板ばね４ｅで囲まれた内部に入りボデイ２ａの母線は下方突出部４ｅ１と摺動し乍消火器２は上昇する。消火器２のボデイ２ａの嵌合部２ｂ１が枠体４の内筒４ｄに嵌合すると、ボデイ下縁の回り縁２ａ１が板ばね４ｅの下方突出部４ｅ１を上方へ乗り越える。板ばね４ｅは胴部半径方向にばね力で復元し、係止面４ｅ３は回り縁２ａ１の下側に来る。
【００３１】
これによって、消火器２は枠体４の胴部４ｂ下端と下方突出部４ｅ１によって下方向へ移動を許されなくなる。このとき、消火器２の開弁部材であるボタン２ｃとボタン２ｃを押すスリーブ６の底板６ｄ１とは接しているか、スリーブ６によって消火器２が開弁可能な範囲で離れている。
【００３２】
リレー１３はＡ接点で付勢されていないので、乾電池である電池１５の放電は小さい。ボタン電池である電源１ｈの負荷は主として発光素子１ｃは消費電力の小さな発光ダイオードであるため、電源１ｈの寿命は長い。
[作用]
【００３３】
火災により発生した煙が開口１ａ１，１ｂ１を通じて火災報知器１内に入ると発光素子１ｃと受光素子１ｄ間の空間は煙で遮られる。受光素子１ｄの受光量は減少する。これによって制御装置１ｅはドライバ１ｆを付勢する。ドライバ１ｆの出力端子１ｉに導通しているリレーコイル１３ａは付勢される。同時にスピーカ１ｇは警報音を発生する。
【００３４】
リレー１３の接点が閉じ、電池１５によりソレノイド８が付勢される。ソレノイド８の可動子８ａは可動子８を突出させている図示されないばねのばね力と圧縮コイルばね７のばね力で付勢されているつば６ｃとの間の摩擦力に抗して後退する。可動子８ａがつば６ｃから外れるとスリーブ６は圧縮コイルばね力でガイド軸５ｂに案内されて下方へ移動する。スリーブ６の底板６ｄ１が図示されない上昇方向にボタン２ｃを付勢しているばねのばね力に抗してボタン２ｃを押し下げる。ボタン２ｃの下降により開弁された消火器２はノズル２ｄから消化剤を噴出させて消火を行う。消化作用後は図示されないがひも、又はボタンのような操作部材で火災検知器１はリセットされる。リセットにより、リレー１３は開きソレノイド８は断電し図示されないばねのばね力で可動子８ａは突出する。可動子８ａは伸長した圧縮コイルばね７の横位置となる。
【００３５】
火災検知器１をリセットした後は、消火器開栓装置３のリセットを行う。図４においてリセットレバー１４の握り１４ｄを下方に向って押すと、リセットレバー１４はピン１４ｂを中心にして反時計方向に回転する。リセットレバー１４先端の駒１４ａはつば６ｃに接しスリーブ６を圧縮コイルばね７のばね力に抗して押し上げる。スリーブ６がガイド軸５ｂに導かれて直上へ移動すると、つば６ｃは可動子８ａの先端下側のカム部８ａ１に接しつば６ｃの上昇と共に可動子８ａは可動子８ａを突出させる方向に付勢している図示されないばねのばね力に抗してソレノイド８中に引き込められる。つば６ｃが可動子８ａの上側に乗り越えると可動子８ａは前記図示されないばねのばね力で突出する。ここで、握り１４ｄの加力を止める。スリーブ６の圧縮コイルばね７による下方へ向う移動はつば６ｃが可動子８ａに当ってよって制止される。
【００３６】
消火器２は板ばね４ｅの下端を消火器２の半径方向に消火器２の中心から遠ざかる方向に引いて消火器２の回り縁２ａ１を板ばね４ｅの下方突出部４ｅ１から離れさせて、消火器２を下方へ移動させると、嵌合部２ｂ１は内筒４ｄの下端から離れる。消火器２をそのまま直下へ移動させると消火器２は自動消火器から外れる。
【００３７】
消火器２の自動消火器への装着は頭部２ｂを上にして板ばね４ｅの下端から上方へ向って移動する。ボデイ２ａの上縁が板ばね４ｅの先端の直動カム部４ｅ２に当ると上縁の上昇につれて板ばね４ｅは外方へたわむ。消火器２の上昇につれて下方突出部４ｅ１は消火器のボデイ２ａと摺動する。消火器２の嵌合部２ｂ１が内胴４ｄに嵌合した後消火器２のボデイ２ａの上縁が胴部４ｂの下端に接するとボデイ２ａの下縁の回り縁２ａ１が下方突出部４ｅ１を越え板ばね４ｅの先端の下方突出部４ｅ１を越えると、下方突出部４ｅ１はボデイ２ａの中心方向に移動する。これによって消火器２は自動消火器にセットされる。
【００３８】
この考案の自動消火器の実施例は火災検知器と連結された消火器開栓装置に消火器の着脱を容易にすることができる。即ち、一切工具類を用いない。消火器は市販のカセットボンベ式を用いることができる。従来例のように自動消火器を分解しなければ消化剤の補充が不可能であるという点が解消される。そして、消火器は消火器開栓装置の下部にあるので高所、例えば天井に自動消火器が装着される場合においも消火器の着脱は容易である。
（他の実施例）
【００３９】
図６、図７に他の実施例を示す。この実施例は枠体への消火器の取付取外しを簡単にすると共に消火器開栓装置のリセットの構成、作用を簡単にしたものである。
【００４０】
消火器開栓装置３にはリセットレバー１４は設けられていない。即ち、消火器開栓装置３はリセットレバー１４及びこれを支持するピン１４ｂが存在しない以外は前実施例と同様である。枠体４の消火器開栓装置３の部材を収納する胴部４ｂは天板４ａと間をおいて下板４ｋを設けられている。胴部４ｂは下板４ｋから下は断面が中空円筒を半割りした形状の半割部４ｂ１となっている。半割部４ｂ１の下端に短い円筒状の皿部４ｍが設けてある。皿部４ｍの下端には底板４ｈが設けられている。半割部４ｂ１の上下方向の両側縁４ｂ１１の上部には夫々消火器保持部４ｉが設けてある。両消火器保持部４ｉの対向間隔ａは図６に示すように消火器２の円筒形のボデイ２ａの中間部の直径よりわずかに小さい。両消火器保持部４ｉの先端は対向間隔が対向間隔ａより大きいように互に離れる方向に曲がっている。消火器保持部４ｉの根本側は半割部４ｂ１と連続する円筒の一部の形状となっている。
皿部４ｍの縁と底板４ｈ間の深さｈは消火器が横方向に振動等で外れない程度に低い高さである。
【００４１】
この実施例では消火器２の下端部を先ず皿部４ｍに入れてから、消火器２の上端部が図７においてやや右側へ傾いた姿勢で消火器２は横方向から行われる。消火器２は消火器保持部４ｉ間に挿入され、該保持部４ｉの弾力に抗して押し込まれる。
【００４２】
消火器２を枠体４に装着する前にスリーブ６の底板６ｄ１を指で押し上げると、つば６ｃ１は圧縮コイルばね７を圧縮すると共にソレノイド８の可動子８ａのカム部８ａ１を押して可動子８ａを付勢している図示されないばねのばね力に抗して可動子８ａをソレノイド８側へ押し込める。つば６ｃは可動子８ａを越えると可動子８ａは突出する。これによって消火器開栓装置３はリセットされる。
【００４３】
消火器開栓装置３のリセットを忘れて新しい消火器３を消火器開栓装置３に装着しようとすると消火器３のボタン２ｃの外周がスリーブ６の作動子６ｄ外周に当り装着できないのでリセットを忘れたことはすぐ気づく。
【００４４】
上述のように消火器２は消火器開栓装置３の下方に脱着される。詳しくは作動部材のスリーブ６の直下に消火器２のボタン２ｃが来るように消火器２は枠体４に脱着される。
【００４５】
上記各実施例は開弁部材がボタンであるカセットボンベ式についてのべたが、開弁部材としてレバーを用い消火器例えば加圧式、蓄圧式の粉末消火器においても、同様に構成される。即ち消火器開栓装置はボタンに代えてレバーを押すことによる。
【符号の説明】
【００４６】
１…火災検知器  １ａ…外壁  １ａ１…開口  １ｂ…内壁  １ｂ１…開口  １ｃ…発光素子  １ｄ…受光素子  １ｅ…制御装置  １ｆ…ドライバ  １ｇ…スピーカ  １ｈ…電源  １ｉ…出力端子  １ｋ…上端板  １ｍ…下端板        
２…消火器  ２ａ…ボデイ  ２ａ１…回り縁  ２ｂ…頭部    ２ｂ１…  キャップ嵌合部  ２ｃ…ボタン  ２ｄ…ノズル
３…消火器開栓装置  
【００４７】
４…枠体  ４ａ…天板  ４ｂ…胴部  ４ｂ１…半割部  ４ｂ１１…側縁  ４ｃ…ブラケット  ４ｄ…内筒  ４ｅ…板ばね  ４ｅ１…下方突出部  ４ｅ２…直動カム部  ４ｅ３…係止面  ４ｆ…端板  ４ｆ１…取付フランジ  ４ｇ…取付部  ４ｈ…底板  ４ｉ…消火器保持部    ４ｊ…開口  ４ｋ…下板  ４ｍ…皿部  ４Ａ…消火器取付部
５…竪ガイド  ５ａ…フランジ  ５ｂ…ガイド軸
６…スリーブ  ６ａ…中心穴  ６ｂ…ばね挿入部  ６ｃ，６ｃ１…つば  ６ｄ…作動子  ６ｄ１…底板  ６ｄ２…空気抜穴
７…圧縮コイルばね  
８…ソレノイド  ８ａ…可動子  ８ａ１…カム部
９…電池ホルダ  ９ａ…正極接点  ９ｂ…負極接点  ９ｃ…正電極  ９ｄ…負電極  ９ｆ…支持部  ９ｆ１…先端  ９ｇ…ベース板
１１…正極配線
１２…負極配線
１３…リレー  １３ａ…コイル
１４…リセットレバー  １４ａ…駒  １４ｂ…ピン  １４ｃ…柄部  １４ｄ…握り
１５…電池
ａ…対向間隔
ｈ…深さ
【図１】
0003190109.tif 000003
【図２】
0003190109.tif 000004
【図３】
0003190109.tif 000005
【図４】
0003190109.tif 000006
【図５】
0003190109.tif 000007
【図６】
0003190109.tif 000008
【図７】
0003190109.tif 000009